(57)【特許請求の範囲】
【請求項１】
把持部の両側から容器の外周面の対向位置までそれぞれ達するように形成された左右の腕部を有し、真上からみたときの当該左右の腕部および当該把持部の各部分がすべて同じ長手方向となる態様で配された、全体形状からなる容器用ハンドルにおいて、
前記左右の腕部それぞれの、複数の容器を積み重ねた場合に下側容器との接触対象となる所定部分を、その前記長手方向の中心線同士がずれた形状のものとし、
前記積み重ねの状態では、前記所定部分はその一方のみが前記下側容器に接触する、
ことを特徴とする容器用ハンドル。
【請求項２】
把持部の両側から容器の外周面の対向位置までそれぞれ達するように形成された左右の腕部を有する容器用ハンドルにおいて、
前記左右の腕部それぞれの、複数の容器を積み重ねた場合に下側容器との接触対象となる所定部分を、上側からみたときのその幅が異なる形状のものとし、
前記積み重ねの状態では、前記所定部分はその一方のみが前記下側容器に接触する、
ことを特徴とする容器用ハンドル。
【請求項３】
前記所定部分のそれぞれが、前記杷持部に対して前記容器側に折れた状態で形成されている、
ことを特徴とする請求項１または２記載の容器用ハンドル。
【発明の詳細な説明】
【０００１】
【発明の属する技術分野】
本発明は、ペール缶などの容器に装着されるものであって、把持部の両側から容器の外周面の対向位置までそれぞれ達するように形成され、かつ、この対向位置のそれぞれに取り付けるための取付部を設けた腕部を有する容器用ハンドルに関し、特に、容器を重ねた状態から上側容器を抜き取る際の便宜を図るようにしたものに関する。
【０００２】
【従来の技術】
一般に、ペール缶などの容器には、半円状、弓状に形成された運搬用のハンドルが装着されており、この容器用ハンドルには、従来、樹脂製の把持部を持つワイヤーハンドルや、プラスチック等の合成樹脂で形成された樹脂ハンドルが用いられている。これらのものは、容器の外周面に突出成形された耳部に回動可能な状態で取り付けられている。
【０００３】
また、このようなハンドルを持つ容器、特に天蓋付容器を保管、運搬等するときには、図４に示すように、上側容器４ａを下側容器４ｂに入れた状態にすることが一般的であるが、このとき、上側容器４ａの外周面に一周にわたって突出成形されているビード部８が、下側容器４ｂの上端部分５に当たることにより、上側容器４ａが下側容器４ｂの中に強く入り込まないようにしている。
【０００４】
そして、ビード部８は、上述の耳部６と略同じ高さに設定されており、容器を重ねた状態では、上側容器４ａのハンドル９は、図示のように、下側容器４ｂの外側に垂れ下がった状態となっている。このとき、上側容器４ａのハンドル９の把持部１１は、下側容器４ｂのビード部８よりも下方に位置している。なお、図示のものは、ワイヤーハンドルをあらわしており、耳部６への取付にはベイリングマシンが用いられる
【０００５】
【発明が解決しようとする課題】
このように、従来の容器用ハンドルは、腕部１０、１０ａが半円状、弓状に形成されており、かつ、把持部１１を挟んだ腕部１０、１０ａのそれぞれは、中心線方向が一致した状態となっている。したがって、容器を重ねたときに、上側容器４ａのハンドル９は、下側容器４ｂのビード部８に腕部１０、１０ａの双方を当接した状態となり、しかも、把持部１１は、下側容器４ｂのビード部８の下方に入り込んだ状態となっている。
【０００６】
このような状態において、上側容器４ａを下側容器４ｂから抜き取るときに、上側容器４ａのハンドル９を持って持ち上げるのであれば問題は生じないが、抜き取り用の自動機を使って上側容器４ａを抜き取るときには次のような問題が生じる。
【０００７】
すなわち、この抜き取り用の自動機では、上側容器４ａの上端部分５を持って持ち上げるようにしているため、この上側容器４ａのハンドル９は倒れたままの状態となっており、これでは、ハンドル９の腕部１０、１０ａの双方が下側容器４ｂのビード部８と接触して上側容器４ａを持ち上げるときの抵抗になるとともに、把持部１１が下側容器４ｂのビード部８や突出した上端部分５（カール部）等を引っ掛けてしまい、上側容器４ａとともに下側容器４ｂも持ち上げて、いわゆる２缶吊りが生じるといった問題点を有していた。
【０００８】
また、従来の容器用ハンドルは、ワイヤーハンドル、樹脂製ハンドルのいずれであっても製造時には腕部１０、１０ａを略直線状に形成されたものであり、これを容器への装着に際して強制的に曲げる結果、半円状、弓状となったものである。したがって、容器への取付後において、常に外側に広がろうとする力が耳部６に強く働く結果となり、この力によって長期間経過後に耳部６を破損させる場合があるといった問題点がある。
【０００９】
そこで、本発明では、左右の腕部のいずれか一方のみが下側容器のビード部等と接触するようにして、抜き取り用の自動機により上側容器を下側容器から抜き取る際の抵抗を減少させるとともに、上側容器のハンドルが下側容器を引っ掛けないようにして２缶吊りを防止することを目的とする。
【００１０】
【課題を解決するための手段】
本発明の容器用ハンドルは、把持部の両側から容器の外周面の対向位置までそれぞれ達するように形成された左右の腕部を持つものにおいて、当該腕部それぞれの、複数の容器を積み重ねた場合に下側容器との接触対象となる所定部分を、その長手方向の中心線同士がずれた形状のもの、または、上側からみたときのその幅が異なる形状のものとし、当該積み重ねの状態では、当該所定部分の中の一方のみが下側容器に接触するようにしたものである。なお、前記所定部分のそれぞれを、把持部に対して容器側に折れた状態で形成してもよい。また、前記所定部分に、前記中心線同士のずれと前記幅の異なりとを併用してもよい。
【００１１】
このように、把持部を挟んだ左右の腕部それぞれの所定部分（例えば把持部に近い部分）を、その長手方向の中心線同士がずれた形状にしているため、容器を積み重ねた際、上側容器のハンドルは、所定部分のいずれか一方のみが下側容器のビード部に接触した状態となっており、上側容器を抜き取るときの抵抗を減少させ、下側容器を持ち上げないようにしている。なお、所定部分の径を異ならせた場合も同様に、所定部分の一方のみが下側容器に接触し、上側容器を抜き取るときに下側容器を持ち上げないようにしている。
【００１２】
また、所定部分のそれぞれが把持部に対して容器側に折れた状態で形成されたものでは、ハンドルを倒したときにこの所定部分が下側容器のビード部に当接するため、この把持部をビード部の下方からより遠ざけるようにしており、これにより、上側容器を抜き取るときにこのハンドルの把持部で下側容器を引っ掛けないようにしている。
【００１３】
また、このような所定部分を持つハンドルは、耳部（容器）に取り付けられる際に、腕部を強制的に曲げられる程度を少なくしているため、この耳部に対してハンドルが外側に広がろうとする力は弱くなっている。
【００１４】
【実施の形態】
本発明の実施の形態を、図１ないし図３を参照して説明する。なお、以下で述べるハンドルは、説明の便宜上、左右の腕部それぞれの所定部分の長手方向の中心線同士がずれた形のものとしている。
【００１５】
各図において、１は把持部、１ａは枠、１ｂは梁、２、２ａは腕部、３は突起（取付部）、３ａはくびれ部、４は容器、４ａは上側容器、４ｂは下側容器、５は上端部分、６は耳部、７は孔部、８はビード部、ｇは隙間をそれぞれ示している。
【００１６】
この容器用ハンドルは、図１（ａ）、（ｂ）に示すように、プラスチック等の合成樹脂によって、把持部１と、この把持部１の両側からそれぞれ伸びた腕部２、２ａとが一体に形成されたものであり、この腕部２、２ａそれぞれの端部にはくびれ部３ａを介して突起３が設けられている。なお、把持部１は、上下方向に薄く形成され、枠１ａが設けられるとともに、一部に梁１ｂを設け、強度を保持するようにしている。
【００１７】
そして、腕部２、２ａの所定部分、すなわち、把持部１から後述する容器４の上端部分５の外周縁に対応する部分までは、図１（ａ）に示すように、上側から見たときに、それぞれの中心線Ｌ１  、Ｌ２  がずれた状態となっている。すなわち、把持部１に対して腕部２は前面側に、また腕部２ａは後面側にそれぞれ偏った状態で形成されている。
【００１８】
さらに、腕部２、２ａは、図１（ｂ）に示すように、把持部１の両側から一定の長さまで、把持部１の下側（容器側）に向けて角度Ａに折れた状態で略直線状に形成されている。そして、腕部２、２ａの途中からさらに角度Ａより大きい角度で下側に向けて折り曲げ、その端部のそれぞれに内側に向けて突起３を設けている。
【００１９】
なお、腕部２、２ａを直線状に形成することに限定するものではなく、上側または下側に湾曲させるかたちで腕部２、２ａを形成するようにしてもよい。さらに、腕部２、２ａの所定部分とする範囲は図示のものに限定されず、少なくとも、ハンドルを倒したときに下側容器に接触する部分を所定部分として用いれば足りるものである。
【００２０】
また、腕部２、２ａを角度Ａに傾斜させるか否かは任意である。ただし、腕部２、２ａの形態に関係なく、把持部１から伸びる方向を下側（容器側）に向けて角度Ａに折れた状態にすることが好ましい。また、把持部１の下面や腕部２、２ａの下面は、丸みを持たせるように形成されている。
【００２１】
突起３は、後述する孔部７に嵌め込むものであり、先端からくびれ部３ａにかけてその断面積が順次大きくなるように形成されている。そして、突起３の先端の断面積を孔部７より小さくするとともに、くびれ部３ａに達する直前の断面積を孔部７より大きくなるように設定している。また、くびれ部３ａの長さは、後述する耳部６の厚さより多少長い程度に形成されている。
【００２２】
なお、腕部２、２ａの所定部分を、それぞれの中心線Ｌ１  、Ｌ２  がずれた状態で形成したものに代えて、所定部分の径を異ならせるようにしてもよい。これにより、上側から見たときに、例えば腕部２の幅が広くなる一方、腕部２ａの幅が狭くなるようにしている。このとき、所定部分それぞれの中心線Ｌ１  、Ｌ２  は一致した状態となっている。
【００２３】
次に、この容器用ハンドルの、容器への取付は、図２に示すように、容器４の外周面に突出成形された耳部６の孔部７に突起３を差し込むことにより行う。この耳部６は、容器４外周面の対向位置にそれぞれ設けられており、この耳部６の位置に、容器４の外周面を一周するビード部８が突出成形されている。なお、これら耳部６およびビード部８は容器４と一体に形成されている。
【００２４】
そして、図２の拡大断面図に示すように、突起３を孔部７に差し込んだ後は、孔部７にはくびれ部３ａが位置しており、突起３は、孔部７より断面積が大きい部分に係止されることにより抜けないように保持されている。これにより、腕部２、２ａは、突起３を軸として回動可能な状態で容器４に装着される。
【００２５】
なお、図２に示すように、耳部６の双方に突起３を取り付けた状態では、腕部２、２ａは、それぞれ容器４外周面に近ずく方向に曲げられた状態となっているが、その程度が少ないため、腕部２、２ａが元の状態まで広がろうとする力、すなわち突起３が孔部７から抜ける方向に働く力は弱いものとなっている。
【００２６】
次に、図３に示すように、下側容器４ｂに上側容器４ａを重ねた状態では、上側容器４ａのハンドルは下側容器４ｂの外周面まで倒れてくる。このとき、腕部２のみが下側容器４ｂのビード部８に当たるとともに、腕部２ａはこのビード部８から隙間ｇだけ浮いた状態となり、これにより把持部１はやや傾いた状態となっている。さらに、腕部２は角度Ａに折れた直線状であるため、把持部１は、下側容器４ｂのビード部８下方から外側に外れた部分に位置することになる。
【００２７】
したがって、このように容器を積み重ねた状態から、抜き取り用の自動機によって（上端部分５を持って）上側容器４ａを下側容器４ｂから抜き取るときには、上側容器４ａの持ち上げにともない腕部２は下側容器４ｂのビード部８表面を滑っていくが、接触部分が、腕部２とビード部８との間のみであるため、上側容器４ａを持ち上げる際の抵抗を少なくしている。
【００２８】
さらに、把持部１は、やや傾いた状態でかつビード部８下方から外側に外れた部分に位置しているため、上側容器４ａの持ち上げにともない把持部１が下側容器４ｂのビード部８や上端部分５などを引っ掛かけないようにしており、上記抵抗の減少とあわせて２缶吊りが生じないようにしている。なお、把持部１の下面や腕部２、２ａの下面を丸く形成することにより、抵抗の減少や引っ掛け防止をより効果的に行えるようにしている。
【００２９】
また、図示のものは、腕部２のみが下側容器４ｂのビード部８と接触するものであるが、これは、ハンドルを容器の手前側に倒した場合を示したものであり、容器の向こう側にハンドルを倒した場合は、腕部２ａのみがビード部８と接触することになる。なお、腕部２ａのみが接触するときも腕部２の場合と同様に上側容器４ａを抜き取るときの２缶吊りを防止するものである。
【００３０】
【発明の効果】
本発明は、容器用ハンドルの各腕部の下側容器との接触対象部分を、その長手方向の中心線同士がずれた形状や、上側からみたときのその幅が異なる形状とし、容器を積み重ねた際に上側容器の腕部はその一方のみが下側容器に接触するようにしているため、上側容器を抜き取るときのその腕部と下側容器との抵抗が減少し、２缶吊りの発生を防止することができる。
【００３１】
さらに、所定部分のそれぞれが把持部に対して容器側に折れた状態で形成された場合には、この所定部分の中の、把持部に近い部分が下側容器のビード部に当たることになる。したがって、把持部はビード部下方より外側に位置することになり、これにより上側容器を抜き取るときにこの把持部が下側容器のビード部等を引っ掛けないようにすることができ、上記した２缶吊りの防止をより一層効果的に行うことができる。
【００３２】
また、把持部に対して容器側に折れた状態の所定部分を持つハンドルは、耳部（容器）に取り付ける際に、腕部を強制的に曲げる程度を少なくしているため、この耳部に対してハンドルが外側に広がろうとする力が弱くなり、耳部が破損してしまうのを未然に防止することができる。
【図面の簡単な説明】
【図１】本発明の、容器用ハンドルを示す説明図で、（ａ）は平面図、（ｂ）は正面図である。
【図２】容器用ハンドルの使用状態を示す正面図である。
【図３】本発明の、容器用ハンドルを持つ容器を重ねた状態を示す正面図である。
【図４】従来の、容器用ハンドルを持つ容器を重ねた状態を示す正面図である。
【符号の説明】
１・・・把持部
１ａ・・枠
１ｂ・・梁
２、２ａ・・腕部
３・・・突起（取付部）
３ａ・・くびれ部
４・・・容器
４ａ・・上側容器
４ｂ・・下側容器
５・・・上端部分
６・・・耳部
７・・・孔部
８・・・ビード部
９・・・ハンドル
１０、１０ａ・・腕部
１１・・・把持部
【図１】
0003595851.tif 000002
【図２】
0003595851.tif 000003
【図３】
0003595851.tif 000004
【図４】
0003595851.tif 000005